(57)【要約】      （修正有）【課題】本考案は、平板状の型紙を短時間で底あき状の被せ型カバー本体として安定状態に組み立てることができ、この被せ型カバー本体をティッシュボックスの上方から当該ティッシュボックスに隙間のない状態で覆うように被せて使用することができ、さらに被せ型カバー本体の各側面にはＰＯＰ表示が備えられているという特徴を持つティッシュボックス用の被せ型ＰＯＰカバーを提供する。【解決手段】ティッシュボックス１１に上方より被せて使用する被せ型ＰＯＰカバーであって、組み立てられたカバー本体１０の底面を開放状に形成し、その上面にはティッシュ取出し孔３を形成し、各側面にはＰＯＰ表示欄９を形成した。【選択図】図３
0003138354.tif 000002
【実用新案登録請求の範囲】
【請求項１】
ティッシュボックスに上方より被せて使用する被せ型ＰＯＰカバーであって、組み立てられたカバー本体の底面を開放状に形成し、その上面にはティッシュ取出し孔を形成し、各側面にはＰＯＰ表示欄を形成したことを特徴とするティッシュボックス用の被せ型ＰＯＰカバー。
【請求項２】
カバー本体の組み立て状態を安定化させるために、カバー本体の四隅部位置にのり代片を形成したことを特徴とする請求項１記載のティッシュボックス用の被せ型ＰＯＰカバー。
【請求項３】
ＰＯＰ表示欄には、化粧品に関する広告が表示されていることを特徴とする請求項１又は２記載のティッシュボックス用の被せ型ＰＯＰカバー。
【請求項４】
ＰＯＰ表示欄には、顧客に対する質問事項が表示されていることを特徴とする請求項１乃至３のいずれかに記載のティッシュボックス用の被せ型ＰＯＰカバー。
【請求項５】
ＰＯＰ表示欄には、顧客に対する質問事項に対する回答事項が表示されていることを特徴とする請求項１乃至４のいずれかに記載のティッシュボックス用の被せ型ＰＯＰカバー。
【考案の詳細な説明】
【技術分野】
【０００１】
本考案は、ティッシュボックス用の被せ型ＰＯＰカバーに係り、さらに詳しくは平板状の型紙を短時間で底あき状の被せ型カバー本体に組み立て、この被せ型カバー本体をティッシュボックスの上方から当該ティッシュボックスに隙間のない状態で覆うように被せて使用するもので、この被せ型カバー本体の各側面には宣伝広告用のＰＯＰ表示欄が備えられているものに関する。
【背景技術】
【０００２】
従来、化粧品販売の店頭では、化粧用具や指先などの目的部位以外の箇所に化粧料が付着してしまったような場合に、それをふき取る目的で、「お手入れティッシュ」と称されるティッシュペーパーを収納したティッシュボックスがカウンタ上に置かれている。
【０００３】
このティッシュボックスは、ティッシュボックスメーカーの既製デザインを表示しただけのものであるため、販売する側の化粧品メーカーとしては、ＰＯＰ表示としてはまったく利用されていないという状況であった。
【０００４】
一方ティッシュボックスに用いられるカバーとしては、従来より木製や布製のものが利用されていた。ここで木製カバーは、製造原価が高くなると共にデザインが限定されることとなり、長期に使用されると新鮮味がなくなるという問題があった。また布製のものは、繰り返し使用することで汚れや皺が目立ち、かつ長期に使用されると上記と同様に新鮮味がなくなるという問題があった。
これらのカバーに対し、紙製のカバー（特許文献１）も提案されているが、そのカバーにＰＯＰ表示するものは存在せず、そのため人目につきやすい場所で広告価値が高いにもかかわらず、広告媒体として利用されていないという欠点があった。
【０００５】
【特許文献１】特開平９−２２６８６０号公報
【考案の開示】
【考案が解決しようとする課題】
【０００６】
上記特許文献１に記載されたティッシュボックス用のカバーは、ＰＯＰ表示するものではなかったため、人目につきやすい場所であるにもかかわらず、広告機能を発揮することができないとともに、カバーそのものは、平板状のカラーコピー用紙の四隅を内方に折り込む状態で組み立てられる構成であったため、一旦組み立ててもその四隅部が簡単に型崩れしてしまうため、組み立てられたカバーの保型性が不十分であるという欠点もあった。
【０００７】
本考案は、上記の問題点を解消して、平板状の型紙を短時間で底あき状の被せ型カバー本体として安定状態に組み立てることができ、この被せ型カバー本体をティッシュボックスの上方から当該ティッシュボックスに隙間のない状態で覆うように被せて使用することができ、さらに被せ型カバー本体の各側面にはＰＯＰ表示が備えられているという特徴を持つティッシュボックス用の被せ型ＰＯＰカバーを提供せんとするものである。
【課題を解決するための手段】
【０００８】
上記目的を達成するために、請求項１記載の考案は、ティッシュボックスに上方より被せて使用する被せ型ＰＯＰカバーであって、組み立てられたカバー本体の底面を開放状に形成し、その上面にはティッシュ取出し孔を形成し、各側面にはＰＯＰ表示欄を形成したことを特徴とするティッシュボックス用の被せ型ＰＯＰカバーである。
【０００９】
請求項２記載の考案は、カバー本体の組み立て状態を安定化させるために、カバー本体の四隅部位置にのり代片を形成したことを特徴とする請求項１記載のティッシュボックス用の被せ型ＰＯＰカバーである。
【００１０】
請求項３記載の考案は、ＰＯＰ表示欄には、化粧品に関する広告が表示されていることを特徴とする請求項１又は２記載のティッシュボックス用の被せ型ＰＯＰカバーである。
【００１１】
請求項４記載の考案は、ＰＯＰ表示欄には、顧客に対する質問事項が表示されていることを特徴とする請求項１乃至３のいずれかにティッシュボックス用の被せ型ＰＯＰカバーである。
【００１２】
請求項５記載の考案は、ＰＯＰ表示欄には、顧客に対する質問事項に対する回答事項が表示されていることを特徴とする請求項１乃至４のいずれかに記載のティッシュボックス用の被せ型ＰＯＰカバーである。
【考案の効果】
【００１３】
以上述べたように、請求項１のティッシュボックス用の被せ型ＰＯＰカバーによれば、元がいかなるティシュボックスであっても、その表面のデザインをすべて好みのＰＯＰ表示を施したカバー本体で覆うことで、経費があまりかからないカバー本体でありながら、きわめて有効な広告機能を発揮きるという効果がある。
【００１４】
また請求項２のティッシュボックス用の被せ型ＰＯＰカバーによれば、カバー本体の四隅部位置に設けたのり代片を利用して、カバー本体の組み立て時の安定化を確実に図ることができるという効果がある。
【００１５】
また請求項３乃至５のティッシュボックス用の被せ型ＰＯＰカバーによれば、特に化粧品の販売の現場で顧客に効果的な広告機能を発揮することができ、顧客が抱く疑問などのニーズに答えられ、販売の現場において有益な質問事項や回答事項を予め用意しておくことで、きめの細かい顧客対応が可能になるという効果が期待できる。
【考案を実施するための最良の形態】
【００１６】
以下添付図面に基づいて、本考案に係るティッシュボックス用の被せ型ＰＯＰカバーの実施例を詳説する。
図１は本考案のティッシュボックス用の被せ型ＰＯＰカバーの展開状態の平面図、図２は他の実施例にかかるティッシュボックス用の被せ型ＰＯＰカバーの展開状態の平面図、図３は図１の状態からカバー本体を組み立て、それをティッシュボックスに被せる状態の斜視図、図４はティッシュボックスにカバー本体を被せた状態の斜視図である。
【００１７】
本考案のティッシュボックス用の被せ型ＰＯＰカバーは、図１に示すように、コピー用紙や通常の印刷で用意された紙製の、平板状の型紙１を折り曲げて形成されるもので、中央に位置する天面部２には、ティッシュ取出し孔３が形成され、この天面部２の各縁部１２に接続する状態で、前後側面部４，５と、左右側面部６，７とが連接されている。
【００１８】
この型紙１を、天面部２の各縁部１２の位置で、前後側面部４，５と、左右側面部６，７との各４片を山折状に折り曲げて、カバー本体１０を組み立てる。
組み立てられたカバー本体１０の底面は開放状に形成されており、このカバー本体１０はティッシュボックス１１に上方より被せられるようにセットされる。
【００１９】
ここでカバー本体１０の四隅部は、外面側より透明テープ（図示しない）で係止されるか、あるいは内面側に両面テープ（図示しない）をセットしておき、その両面テープの内面側をティッシュボックス１１に貼着させることで、カバー本体１０の安定的な組み立て状態が確保されるようにしておく。
特に図２に示すように、型紙１の前後側面部４，５と、左右側面部６，７の適宜の位置にのり代片８を形成しておくと、こののり代片８に塗布されているのりを介してカバー本体１０の一層安定した組み立て状態が確保できる。
【００２０】
本考案では、上記した型紙１の前後側面部４，５と、左右側面部６，７の全面又は一部に、好みのＰＯＰ表示欄９が設けられているため、組み立てられたカバー本体１０の各側面にはＰＯＰ表示欄９が現れ、そのＰＯＰ表示欄９が顧客に対する宣伝広告効果を発揮する。
【００２１】
このＰＯＰ表示欄９には、例えば化粧品に関する広告が表示される。
具体的には、美白に関する商品の広告の場合において、顧客が「感触派」のタイプか、「肌悩み派」のタイプかの質問事項や、その質問事項の回答となる美白化粧品の商品（群）を紹介する事項を、ＰＯＰ表示欄に表示することができる。
さらに化粧品に関する使い方情報、肌のタイプ別に、その肌に合う化粧品のラインナップ情報、化粧法に関するテクニック情報、お肌に対する医学情報などあらゆる表示をすることが可能である。
【産業上の利用可能性】
【００２２】
本発明に係るティッシュボックス用の被せ型ＰＯＰカバーは、特に化粧品の販売を行う店頭で利用され、目に付き易い場所に置かれたティッシュボックスを利用して、優れた宣伝効果を挙げるため、化粧品産業界において利用可能である。
【図面の簡単な説明】
【００２３】
【図１】本考案のティッシュボックス用の被せ型ＰＯＰカバーの展開状態の平面図である。
【図２】他の実施例にかかるティッシュボックス用の被せ型ＰＯＰカバーの展開状態の平面図である。
【図３】図１の状態からカバー本体を組み立て、それをティッシュボックスに被せる状態の斜視図である。
【図４】ティッシュボックスにカバー本体を被せた状態の斜視図である。
【符号の説明】
【００２４】
１…型紙
２…天面部
３…ティッシュ取出し孔
４、５…前後側面部
６、７…左右側面部
８…のり代片
９…ＰＯＰ表示欄
１０…カバー本体
１１…ティッシュボックス
１２…天面部の各縁部
【図１】
0003138354.tif 000003
【図２】
0003138354.tif 000004
【図３】
0003138354.tif 000005
【図４】
0003138354.tif 000006